(57)【特許請求の範囲】
【請求項１】
端末とサーバを備え、
前記端末は、
電子透かしの形態で識別子が埋め込まれた画像データを入力する入力手段と、
入力された前記画像データを前記サーバに送信する送信手段と、
前記サーバから前記識別子に対応した画像関連データを受信する受信手段と、
受信した前記画像関連データを出力する出力手段と、
を備え、
前記サーバは、
前記端末から前記画像データを受信する受信手段と、
受信した前記画像データから前記電子透かしの形態の識別子を抽出する抽出手段と、
各画像関連データとそれに対応した識別子を複数組保持するデータベースと、
抽出された前記識別子に対応した前記画像関連データを前記データベースから検索する検索手段と、
検索された前記画像関連データを前記端末に送信する送信手段と、
を備えることを特徴とする画像関連データ再生システム。
【請求項２】
請求項１に記載の画像関連データ再生システムにおいて、
前記画像関連データは、音声データであり、前記出力手段は、前記音声データを再生することを特徴とする画像関連データ再生システム。
【請求項３】
請求項１に記載の画像関連データ再生システムにおいて、
前記画像関連データは、第２の画像データであり、前記出力手段は、前記第２の画像データを再生することを特徴とする画像関連データ再生システム。
【請求項４】
請求項１に記載の画像関連データ再生システムにおいて、
前記画像関連データは、自動音声応答サービスの電話番号であり、前記出力手段は、前記電話番号に発呼することを特徴とする画像関連データ再生システム。
【請求項５】
請求項１に記載の画像関連データ再生システムにおいて、
前記画像関連データは、自動音楽再生応答サービスの電話番号であり、前記出力手段は、前記電話番号に発呼することを特徴とする画像関連データ再生システム。
【請求項６】
請求項１に記載の画像関連データ再生システムにおいて、
前記画像関連データは、ＵＲＬ(Uniform Resource Locator)であり、前記出力手段は、前記ＵＲＬに従ってインターネットに要求を出すことを特徴とする画像関連データ再生システム。
【請求項７】
請求項６に記載の画像関連データ再生システムにおいて、
前記ＵＲＬは、ホームページのＵＲＬであることを特徴とする画像関連データ再生システム。
【請求項８】
請求項７に記載の画像関連データ再生システムにおいて、
前記ホームページは、他のホームページへのハイパーリンクを有することを特徴とする画像関連データ再生システム。
【請求項９】
請求項７に記載の画像関連データ再生システムにおいて、
前記ホームページは、自動音声応答サービスの電話番号を記載していることを特徴とする画像関連データ再生システム。
【請求項１０】
端末が、電子透かしの形態で識別子が埋め込まれた画像データを入力するステップと、
前記端末が、入力された前記画像データをサーバに送信するステップと、
前記サーバが、前記端末から前記画像データを受信するステップと、
前記サーバが、受信した前記画像データから前記電子透かしの形態の識別子を抽出するステップと、
前記サーバが、抽出された前記識別子に対応した前記画像関連データを各画像関連データとそれに対応した識別子を複数組保持するデータベースから検索するステップと、
前記サーバが、検索された前記画像関連データを前記端末に送信するステップと、
前記端末が、前記サーバから前記識別子に対応した画像関連データを受信するステップと、
前記端末が、受信した前記画像関連データを出力する出力ステップと、
を有することを特徴とする画像関連データ再生方法。
【請求項１１】
請求項１０に記載の画像関連データ再生方法において、
前記画像関連データは、音声データであり、前記出力ステップは、前記端末が、前記音声データを再生するステップであることを特徴とする画像関連データ再生方法。
【請求項１２】
請求項１０に記載の画像関連データ再生方法において、
前記画像関連データは、第２の画像データであり、前記出力ステップは、前記端末が、前記第２の画像データを再生するステップであることを特徴とする画像関連データ再生方法。
【請求項１３】
請求項１０に記載の画像関連データ再生方法において、
前記画像関連データは、自動音声応答サービスの電話番号であり、前記出力ステップは、前記端末が、前記電話番号に発呼するステップであることを特徴とする画像関連データ再生方法。
【請求項１４】
請求項１０に記載の画像関連データ再生方法において、
前記画像関連データは、自動音楽再生応答サービスの電話番号であり、前記出力ステップは、前記端末が、前記電話番号に発呼するステップであることを特徴とする画像関連データ再生方法。
【請求項１５】
請求項１０に記載の画像関連データ再生方法において、
前記画像関連データは、ＵＲＬ(Uniform Resource Locator)であり、前記出力ステップは、前記端末が、ＵＲＬに従ってインターネットに要求を出すステップであることを特徴とする画像関連データ再生方法。
【請求項１６】
請求項１５に記載の画像関連データ再生方法において、
前記ＵＲＬは、ホームページのＵＲＬであることを特徴とする画像関連データ再生方法。
【請求項１７】
請求項１６に記載の画像関連データ再生方法において、
前記ホームページは、他のホームページへのハイパーリンクを有することを特徴とする画像関連データ再生方法。
【請求項１８】
請求項１６に記載の画像関連データ再生方法において、
前記ホームページは、自動音声応答サービスの電話番号を記載していることを特徴とする画像関連データ再生方法。
【請求項１９】
端末と処理サーバとホームサーバを備え、
前記端末は、
電子透かしの形態で識別子が埋め込まれた画像データを入力する入力手段と、
入力された前記画像データを前記処理サーバに送信する送信手段と、
を備え、
前記処理サーバは、
前記端末から前記画像データを受信する受信手段と、
受信した前記画像データから前記電子透かしの形態の識別子を抽出する抽出手段と、
各画像関連データとそれに対応した識別子を複数組保持するデータベースと、
抽出された前記識別子に対応した前記画像関連データを前記データベースから検索する検索手段と、
検索された前記画像関連データを前記ホームサーバに送信する送信手段と、
を備え
前記ホームサーバは、
前記処理サーバから前記識別子に対応した画像関連データを受信する受信手段と、
受信した前記画像関連データを出力する出力手段と、
を備えることを特徴とする画像関連データ再生システム。
【請求項２０】
端末が、電子透かしの形態で識別子が埋め込まれた画像データを入力するステップと、
前記端末が、入力された前記画像データを前記処理サーバに送信するステップと、
前記処理サーバが、前記端末から前記画像データを受信するステップと、
前記処理サーバが、受信した前記画像データから前記電子透かしの形態の識別子を抽出するステップと、
前記処理サーバが、抽出された前記識別子に対応した前記画像関連データを各画像関連データとそれに対応した識別子を複数組保持するデータベースから検索するステップと、
前記処理サーバが、検索された前記画像関連データを前記ホームサーバに送信するステップと、
前記ホームサーバが、前記処理サーバから前記識別子に対応した画像関連データを受信するステップと、
前記ホームサーバが、受信した前記画像関連データを出力するステップと、
を有することを特徴とする画像関連データ再生方法。
【請求項２１】
端末から電子透かしの形態で識別子が埋め込まれた画像データを受信する受信手段と、
受信した前記画像データから前記電子透かしの形態の識別子を抽出する抽出手段と、
各画像関連データとそれに対応した識別子を複数組保持するデータベースと、
抽出された前記識別子に対応した前記画像関連データを前記データベースから検索する検索手段と、
検索された前記画像関連データを前記端末に送信する送信手段と、
を備えることを特徴とするサーバ。
【請求項２２】
請求項２１に記載のサーバにおいて、
前記画像関連データは、音声データであることを特徴とするサーバ。
【請求項２３】
請求項２１に記載のサーバにおいて、
前記画像関連データは、第２の画像データであることを特徴とするサーバ。
【請求項２４】
請求項２１に記載のサーバにおいて、
前記画像関連データは、自動音声応答サービスの電話番号であることを特徴とするサーバ。
【請求項２５】
請求項２１に記載のサーバにおいて、
前記画像関連データは、自動音楽再生応答サービスの電話番号であることを特徴とするサーバ。
【請求項２６】
請求項２１に記載のサーバにおいて、
前記画像関連データは、ＵＲＬ(Uniform Resource Locator)であることを特徴とするサーバ。
【請求項２７】
請求項２６に記載のサーバにおいて、
前記ＵＲＬは、ホームページのＵＲＬであることを特徴とするサーバ。
【請求項２８】
請求項２７に記載のサーバにおいて、
前記ホームページは、他のホームページへのハイパーリンクを有することを特徴とするサーバ。
【請求項２９】
請求項２７に記載のサーバにおいて、
前記ホームページは、自動音声応答サービスの電話番号を記載していることを特徴とするサーバ。
【請求項３０】
端末から電子透かしの形態で識別子が埋め込まれた画像データを受信する受信手段と、
受信した前記画像データから前記電子透かしの形態の識別子を抽出する抽出手段と、
各画像関連データとそれに対応した識別子を複数組保持するデータベースと、
抽出された前記識別子に対応した前記画像関連データを前記データベースから検索する検索手段と、
検索された前記画像関連データをホームサーバに送信する送信手段と、
を備えることを特徴とするサーバ。
【発明の詳細な説明】
【０００１】
【発明の属する技術分野】
本発明は、端末とサーバを利用した画像関連データ再生システム及びその方法に関し、特に、情報が埋め込まれた画像を端末で読み取り、読み込まれた画像を端末からサーバに送信し、サーバで画像からそれに埋め込まれている情報を抽出し、抽出された情報に対応したデータを検索し、検索されたデータをサーバから端末に送信し、端末でデータを再生等する画像関連データ再生システム及びその方法に関する。
【０００２】
【従来の技術】
従来、印刷物に音声データをバーコードや２次元コード等の形態で印刷しておき、専用端末で印刷物に印刷されているバーコードや２次元コードを読み取り、その専用端末で音声データを再生する技術（従来技術１）が存在する。
【０００３】
また、従来、電話による自動音声応答サービスを行う技術（従来技術２）が存在する。このサービスでは、利用者は、自動音声応答サービスを行っている装置の電話番号に電話をかけ、所望のサービス内容に応じた番号を電話機に入力する。
【０００４】
更に、従来、原作の言語が日本語である絵本を外国語に翻訳した絵本が出版されている（従来技術３）。
【０００５】
【発明が解決しようとする課題】
しかしながら、従来技術１では、印刷物にバーコードや２次元コードを印刷しなければならないので、印刷物の紙面上のデザインが損なわれることがある。また、バーコードや２次元コードを読み取るための専用端末を利用者は購入しなければならない。
【０００６】
従来技術２では、利用者が間違った電話番号を入力するおそれがあり、また、利用者にとって不便であり煩わしい。更に、自動音声応答サービスの案内を印刷物に掲載する場合には、印刷物の紙面上のデザインが損なわれることがある。
【０００７】
従来技術３では、言語毎に翻訳された絵本を出版しなければならないが、そのためには言語毎に高いコストがかかるので、１つの言語の翻訳された絵本の販売部数がある程度多くなければならない。従って、英語等の普及している言語に翻訳された絵本を出版することがあっても、各国又は各民族に特有であり世界であまり普及していない言語に翻訳された絵本を出版することが、採算性を考慮して、あまりなかった。
【０００８】
本発明は上記の問題点に鑑みてなされたものであり、印刷物にバーコードや２次元コード等の形態で音声データを印刷しなくても、印刷物の内容に対応した音声データを再生することを可能とする画像関連データ再生システム及びその方法を提供することを目的とする。
【０００９】
また、本発明は、専用端末を用いなくても、印刷物の内容に対応した音声データを再生することを可能とする画像関連データ再生システム及びその方法を提供することを目的とする。
【００１０】
更に、本発明は、印刷物に自動音声応答サービスを行っている装置の電話番号を印刷しなくても利用者が自動音声応答サービスを受けることを可能とする画像関連データ再生システム及びその方法を提供することを目的とする。
【００１１】
更に、本発明は、利用者が自動音声応答サービスを行っている装置の電話番号を電話機に入力しなくても利用者が自動音声応答サービスを受けることを可能とする画像関連データ再生システム及びその方法を提供することを目的とする。
【００１２】
更に、本発明は、各国毎の翻訳絵本が販売されていなくても、原語絵本を基に読者が各国毎の翻訳文を得ることを可能とする画像関連データ再生システム及びその方法を提供することを目的とする。
【００１３】
【課題を解決するための手段】
本発明の第１の観点によれば、端末とサーバを備え、前記端末は、電子透かしの形態で識別子が埋め込まれた画像データを入力する入力手段と、入力された前記画像データを前記サーバに送信する送信手段と、前記サーバから前記識別子に対応した画像関連データを受信する受信手段と、受信した前記画像関連データを出力する出力手段と、を備え、前記サーバは、前記端末から前記画像データを受信する受信手段と、受信した前記画像データから前記電子透かしの形態の識別子を抽出する抽出手段と、各画像関連データとそれに対応した識別子を複数組保持するデータベースと、抽出された前記識別子に対応した前記画像関連データを前記データベースから検索する検索手段と、検索された前記画像関連データを前記端末に送信する送信手段と、を備えることを特徴とする画像関連データ再生システムが提供される。
【００１４】
上記の画像関連データ再生システムにおいて、前記画像関連データは、音声データであってもよく、前記出力手段は、前記音声データを再生してもよい。
【００１５】
上記の画像関連データ再生システムにおいて、前記画像関連データは、第２の画像データであってもよく、前記出力手段は、前記第２の画像データを再生してもよい。
【００１６】
上記の画像関連データ再生システムにおいて、前記画像関連データは、自動音声応答サービスの電話番号であってもよく、前記出力手段は、前記電話番号に発呼してもよい。
【００１７】
上記の画像関連データ再生システムにおいて、前記画像関連データは、自動音楽再生応答サービスの電話番号であってもよく、前記出力手段は、前記電話番号に発呼してもよい。
【００１８】
上記の画像関連データ再生システムにおいて、前記画像関連データは、ＵＲＬ(Uniform Resource Locator)であってもよく、前記出力手段は、前記ＵＲＬに従ってインターネットに要求を出してもよい。
【００１９】
上記の画像関連データ再生システムにおいて、前記ＵＲＬは、ホームページのＵＲＬであってもよい。
【００２０】
上記の画像関連データ再生システムにおいて、前記ホームページは、他のホームページへのハイパーリンクを有してもよい。
【００２１】
上記の画像関連データ再生システムにおいて、前記ホームページは、自動音声応答サービスの電話番号を記載してもよい。
【００２２】
本発明の第２の観点によれば、端末と処理サーバとホームサーバを備え、前記端末は、電子透かしの形態で識別子が埋め込まれた画像データを入力する入力手段と、入力された前記画像データを前記処理サーバに送信する送信手段と、を備え、前記処理サーバは、前記端末から前記画像データを受信する受信手段と、受信した前記画像データから前記電子透かしの形態の識別子を抽出する抽出手段と、各画像関連データとそれに対応した識別子を複数組保持するデータベースと、抽出された前記識別子に対応した前記画像関連データを前記データベースから検索する検索手段と、検索された前記画像関連データを前記ホームサーバに送信する送信手段と、を備え前記ホームサーバは、前記処理サーバから前記識別子に対応した画像関連データを受信する受信手段と、受信した前記画像関連データを出力する出力手段と、を備えることを特徴とする画像関連データ再生システムが提供される。
【００２３】
【発明の実施の形態】
以下、図面を参照して本発明の実施形態について詳細に説明する。
【００２４】
［実施形態１］
本発明の実施形態１は、端末とサーバを用いた音声再生システム及びその方法である。
【００２５】
図１を参照すると、実施形態１による音声再生システムは、端末１０１及び処理サーバ１１１を備える。端末１０１は、データ入力部１０２、データ送信部１０３、データ受信部１０４及び音声再生部１０５を備える。処理サーバ１１１は、データ受信部１１２、埋め込み情報抽出処理部１１３、音声ＤＢ（データベース）１１４、音声ＤＢ検索部１１５、データ送信部１１６を備える。
【００２６】
データ入力部１０２は、音声データの識別子が電子透かしの形態で埋め込まれた画像データを読み込む。データ入力部１０２は、端末１０１に備えられたカメラであるが、この代わりに端末１０１に接続されたカメラ又はイメージスキャナであってもよい。データ送信部１０３は、データ入力部１０２により読み込まれた画像データが添付された電子メールを処理サーバ１１１に送信する。この電子メールには端末１０１に割り当てられている電子メールアドレスが送信元電子メールアドレスとして含まれる。データ受信部１０４は、音声データが添付された電子メールを処理サーバ１１１から受信する。音声再生部１０５は、処理サーバ１１１から受信した電子メールに添付されている音声データを再生する。
【００２７】
端末１０１としては、例えば、携帯電話機、ＰＨＳ(Personal Handy Phone)端末、ＰＤＡ(Personal Digital Assistant)等が想定されるが、パーソナルコンピュータであってもよい。
【００２８】
処理サーバ１１１のデータ受信部１１２は、端末１０１から画像データが添付された電子メールを受信する。また、データ受信部１１２は、受信した電子メールに含まれている送信元電子メールアドレス及び受信した電子メールに添付されている画像データを抜き出して出力する。埋め込み情報抽出処理部１１３は、受信した電子メールに添付されている画像データからこれに埋め込まれている音声データの識別子を抽出する。音声ＤＢ１１４は、音声データとこれに対応する識別子の組を複数保持している。音声ＤＢ検索部１１５は、埋め込み情報抽出処理部１１３により抽出された音声データの識別子に対応する音声データを音声ＤＢ１１４から検索する。データ送信部１１６は、検索された音声データが添付された電子メールをデータ受信部１１２が抜き出した送信元電子メールアドレスを送信先電子メールアドレスとして送信する。
【００２９】
次に、図２を参照して、実施形態１の動作について説明する。
【００３０】
まず、利用者の操作により端末１０１のデータ入力部１０２は、印刷物に印刷されている音声データの識別子が含まれている画像データを読み込む（ステップＳ１２１）。次に、データ送信部１０３は、読み込まれた画像データが添付された電子メールを処理サーバ１１１に送信する（ステップＳ１２２）。
【００３１】
具体的には、本実施形態によるサービスを提供するためのＷＷＷサーバより端末１０１がダウンロードして起動したアプリケーションは、メーラを起動し、このメーラが送信しようとする電子メールの送信先電子メールアドレスの欄に送信先電子メールアドレスとなるサーバの電子メールアドレスを設定する。そして、利用者は、送信しようとする電子メールに読み込まれた画像データを添付するための操作を行い、電子メールを送信するための操作を行う。
【００３２】
また、本実施形態によるサービスを提供するためのＷＷＷページに送信先電子メールアドレスとなるサーバの電子メールアドレスを記述しておいても良い。この場合、利用者は、サーバの電子メールアドレスを選択することによりメーラを起動し、読み込まれた画像データを添付ファイルとして、電子メールを送信すればよい。
【００３３】
次に、処理サーバ１１１のデータ受信部１１２は、端末１０１から画像データが添付された電子メールを受信し、この電子メールから送信元電子メールアドレス（端末１０１の電子メールアドレス）と画像データを抜き出す（ステップＳ１２３）。次に、埋め込み情報抽出部１１３は、抜き出された画像データからこれに電子透かしとして埋め込まれている音声データの識別子を抽出する（ステップＳ１２４）。次に、音声ＤＢ検索部１１５は、抽出された音声データの識別子に対応する音声データを音声ＤＢ１１４から検索する（ステップＳ１２５）。次に、データ送信部１１６は、検索された音声データが添付された電子メールを端末１０１の電子メールアドレス宛に送信する（ステップＳ１２６）。
【００３４】
次に、携帯端末１０１のデータ受信部１０４は、処理サーバ１１１から音声データが添付された電子メールを受信する（ステップＳ１２７）。次に、音声再生部１０５は、受信した電子メールに添付されている音声データを再生する（ステップＳ１２８）。
【００３５】
ここで、印刷画像へ電子透かしを埋め込む技術及び読み取られた印刷画像から電子透かしを抽出する技術について説明する。
【００３６】
画像への電子透かし埋め込みの技術は、例えば、空間領域でＬＳＢ(Least Significant Bit)等の特定のビットプレーンに埋め込む初歩的な方式、周波数領域に変換して周波数成分に埋め込む方式等が知られている。その他様々な電子透かしの技術が、例えば、「電子透かしの技術（マルチメディアのニュープロテクト技術）」（松井甲子雄著、森北出版発行）に記載されている。
【００３７】
カメラにより画像データを読み込んだときには、読み込み時の環境により、明度、色相、色飽和度、縮尺及び回転角等が異なるので、画像データを作成したときのビット情報がそのままでは再現されない。しかし、例えば、電子透かしの一部に標準パターンを用意しておき、読み込んだ画像データの明度、色相、色飽和度、縮尺及び回転角等を調整して、標準パターンが再現できたときに電子透かしの他の部分も抽出するようにすればよい。
【００３８】
なお、音声データの代わりに動画像データ又は静止画データ等の第２の画像データを用いても良い。この場合、音声ＤＢ１１４は、第２の画像データとこれに対応する識別子を保持する画像ＤＢに置き換わり、音声再生部１０５は、画像を再生する画像再生部に置き換わる。
【００３９】
また、音声ＤＢ１１４の代わりに、各テレビ番組のチャンネル及び放送時間をテレビ番組の識別子と組にして格納したテレビ番組ＤＢに置き換え、固定ＩＰアドレスを有するホームサーバを家庭に置いておき、ホームサーバにＶＴＲを接続しておき、端末１０１にホームサーバのＩＰアドレスを記憶させておいた上で、次のようなことができる。
【００４０】
すなわち、端末１０１は、各テレビ番組の識別子を埋め込んだテレビ番組表の所望のテレビ番組をデータ入力部１０２で入力し、データ送信部１０３は、ホームサーバのＩＰアドレスと入力したテレビ番組の画像をサーバ１１１に送信し、サーバ１１１では、受信したテレビ番組の画像に含まれているテレビ番組の識別子に対応したテレビ番組のチャンネル及び放送時間をテレビ番組ＤＢから検索して、ホームサーバに送信する。そして、ホームサーバは、受信したテレビ番組のチャンネル及び放送時間に従って、ＶＴＲに録画を行わせる。又は、ホームサーバは、受信したテレビ番組のチャネル及び放送時間をＶＴＲに転送する。
【００４１】
また、音声ＤＢ１１４の代わりに各料理の電子レンジによる調理手順をこれに対応する識別子と組にして格納した料理レシピＤＢに置き換え、固定ＩＰアドレスを有するホームサーバを家庭に置いておき、ホームサーバに電子レンジを接続しておき、端末１０１にホームサーバのＩＰアドレスを記憶させておいた上で、次のようなことができる。
【００４２】
すなわち、端末１０１は、各料理の電子レンジによる料理手順の識別子を料理の画像に埋め込んだ料理の本の所望の料理の画像をデータ入力部１０２で入力し、データ送信部１０３は、ホームサーバのＩＰアドレスと入力した料理の画像をサーバ１１１に送信し、サーバ１１１では、受信した料理の画像に含まれている料理手順の識別子に対応した料理手順を料理レシピＤＢから検索して、ホームサーバに送信する。そして、ホームサーバは受信した料理手順に従って、電子レンジを制御する。又は、ホームサーバは、受信した料理手順を電子レンジに送信する。
【００４３】
［実施形態２］
本発明の実施形態２は、端末とサーバを用いた自動音声応答サービスシステム及びその方法である。
【００４４】
図３を参照すると、実施形態２による自動音声応答サービスシステムは、端末２０１、処理サーバ２１１及び自動音声応答サービスサーバ２２１を備える。端末２０１は、データ入力部２０２、データ送信部２０３、データ受信部２０４及び自動音声応答再生部２０５を備える。処理サーバ２１１は、データ受信部２１２、埋め込み情報抽出処理部２１３、電話番号ＤＢ２１４、電話番号ＤＢ検索部２１５及びデータ送信部２１６を備える。
【００４５】
データ入力部２０２は、自動音声応答サービス電話番号の識別子が電子透かしの形態で埋め込まれた画像データを読み込む。データ入力部２０２は、端末２０１に備えられたカメラであるが、この代わりに端末２０１に接続されたカメラ又はイメージスキャナであってもよい。データ送信部２０３は、データ入力部２０２により読み込まれた画像データが添付された電子メールを処理サーバ２１１に送信する。この電子メールには端末２０１に割り当てられている電子メールアドレスが送信元電子メールアドレスとして含まれる。また、データ送信部２０３は、処理サーバ２１１から受信した電子メールの本文に記述されている自動音声応答サービス電話番号に電話をかける。データ受信部２０４は、自動音声応答サービス電話番号が本文に記述された電子メールを処理サーバ２１１から受信する。また、データ受信部２０４は、自動音声応答サービスサーバ２２１から自動音声応答サービスの音声を受信する。自動音声応答再生部２０５は、自動音声応答サービスサーバ２２１から受信した自動音声応答サービスの音声を再生する。
【００４６】
実施形態１と同様に、端末２０１としては、例えば、携帯電話機、ＰＨＳ(Personal Handy Phone)端末、ＰＤＡ(Personal Digital Assistant)等が想定されるが、パーソナルコンピュータであってもよい。
【００４７】
処理サーバのデータ受信部２１２は、端末２０１から画像データが添付された電子メールを受信する。また、データ受信部２１２は、受信した電子メールに含まれている送信元電子メールアドレス及び受信した電子メールに添付されている画像データを抜き出して出力する。埋め込み情報抽出処理部２１３は、受信した電子メールに添付されている画像データからこれに埋め込まれている自動音声応答サービス電話番号の識別子を抽出する。電話番号ＤＢ２１４は、自動音声応答サービス電話番号とこれに対応する識別子の組を複数保持している。電話番号ＤＢ検索部２１５は、埋め込み情報抽出処理部２１３により抽出された自動音声応答サービス電話番号の識別子に対応する自動音声応答サービス電話番号を電話番号ＤＢ２１４から検索する。データ送信部２１６は、検索された自動音声応答サービス電話番号が本文に記述された電子メールをデータ受信部２１２が抜き出した送信元電子メールアドレスを送信先電子メールアドレスとして送信する。
【００４８】
自動音声応答サービスサーバ２２１は、電話がかかってきたならば、通話相手に自動音声応答サービスの音声を送信する。
【００４９】
次に、図４を参照して、実施形態２の動作について説明する。
【００５０】
まず、利用者の操作により端末２０１のデータ入力部２０２は、印刷物に印刷されている自動音声応答サービス電話番号の識別子が含まれている画像データを読み込む（ステップＳ２３１）。次に、データ送信部２０３は、読み込まれた画像データが添付された電子メールを処理サーバ２１１に送信する（ステップＳ２３２）。
【００５１】
具体的には、本実施形態によるサービスを提供するためのＷＷＷサーバより端末２０１がダウンロードして起動したアプリケーションは、メーラを起動し、このメーラが送信しようとする電子メールの送信先電子メールアドレスの欄に送信先電子メールアドレスとなるサーバの電子メールアドレスを設定する。そして、利用者は、送信しようとする電子メールに読み込まれた画像データを添付するための操作を行い、電子メールを送信するための操作を行う。
【００５２】
また、本実施形態によるサービスを提供するためのＷＷＷページに送信先電子メールアドレスとなるサーバの電子メールアドレスを記述しておいても良い。この場合、利用者は、サーバの電子メールアドレスを選択することによりメーラを起動し、読み込まれた画像データを添付ファイルとして、電子メールを送信すればよい。
【００５３】
次に、処理サーバ２１１のデータ受信部２１２は、端末２０１から画像データが添付された電子メールを受信し、この電子メールから送信元電子メールアドレス（端末２０１の電子メールアドレス）と画像データを抜き出す（ステップＳ２３３）。次に、埋め込み情報抽出部２１３は、抜き出された画像データからこれに電子透かしとして埋め込まれている自動音声応答サービス電話番号の識別子を抽出する（ステップＳ２３４）。次に、電話番号ＤＢ検索部２１５は、抽出された自動音声応答サービス電話番号の識別子に対応する自動音声応答サービス電話番号を電話番号ＤＢ２１４から検索する（ステップＳ２３５）。次に、データ送信部２１６は、検索された自動音声応答サービス電話番号が本文に記述された電子メールを端末２０１の電子メールアドレス宛に送信する（ステップＳ２３６）。
【００５４】
次に、携帯端末２０１のデータ受信部２０４は、処理サーバ２１１から自動音声応答サービス電話番号が本文に記述された電子メールを受信する（ステップＳ２３７）。次に、利用者が受信した電子メールの本文に記述されている自動音声応答サービス電話番号を選択すると、データ送信部２０３は、自動音声応答サービスサーバ２２１に電話をかけ、データ受信部２０４は、自動音声応答サービスサーバ２２１から自動音声応答サービスの音声を受信し、自動音声応答再生部２０５は、自動音声応答サービスの音声を再生する（Ｓ２３８）。
【００５５】
なお、自動音声応答サービスの代わりに、自動音楽再生応答サービスを利用する形態も本実施形態を変形したものとして考えられる。すなわち、データ入力部２０２が入力する画像データを音楽雑誌等に掲載した音楽ＣＤの広告の画像データとし、この画像にこの音楽ＣＤに収録されている音楽の自動音楽再生応答サービスを行うサーバの電話番号の識別子としておくことにより、本実施形態の構成をそのまま利用して、自動音楽再生応答サービスシステムを構成することができる。
【００５６】
［実施形態３］
本発明の実施形態３は、端末とサーバを用いた絵本翻訳システム及びその方法である。
【００５７】
図５を参照すると、実施形態３による絵本翻訳システムは、端末３０１、処理サーバ３１１、ｈｔｔｐ(hypertext transfer protocol)サーバ３２１及び自動音声応答サービスサーバ３３１を備える。端末３０１は、データ入力部３０２、データ送信部３０３、データ受信部３０４、データ閲覧部３０５及び自動音声応答再生部３０６を備える。処理サーバ３１１は、データ受信部２１２、埋め込み情報抽出処理部３１３、ＵＲＬ(Uniform Resource Locator)  ＤＢ２１４、ＵＲＬ  ＤＢ検索部３１５及びデータ送信部３１６を備える。
【００５８】
データ入力部３０２は、絵本の翻訳サービスメニューを表示するホームページのＵＲＬの識別子が電子透かしの形態で埋め込まれた画像データを読み込む。データ入力部２０２は、端末３０１に備えられたカメラであるが、この代わりに端末３０１に接続されたカメラ又はイメージスキャナであってもよい。データ送信部３０３は、データ入力部３０２により読み込まれた画像データが添付された電子メールをサーバ３１１に送信する。この電子メールには端末３０１に割り当てられている電子メールアドレスが送信元電子メールアドレスとして含まれる。また、送信部３０３は、受信した電子メールの本文に記述されているＵＲＬのホームページ及びそのホームページにリンクされているホームページの要求をインターネットに送信する。更に、データ送信部３０３は、処理３１１サーバから受信した電子メールの本文に記述されているＵＲＬのホームページに記述されている自動音声応答サービス電話番号に電話をかける。データ受信部３０４は、絵本の翻訳サービスメニューを表示するホームページのＵＲＬが本文に記述された電子メールを処理サーバ３１１から受信する。また、データ受信部３０４は、データ送信部が要求したホームページを受信する。更に、データ受信部２０４は、自動音声応答サービスサーバ３３１から自動音声応答サービスの音声を受信する。データ閲覧部３０５は、データ受信部３０４が受信したホームページを画面に表示する。自動音声応答再生部３０６は、自動音声応答サービスサーバ３３１から受信した自動音声応答サービスの音声を再生する。
【００５９】
実施形態１及び２と同様に、端末３０１としては、例えば、携帯電話機、ＰＨＳ(Personal Handy Phone)端末、ＰＤＡ(Personal Digital Assistant)等が想定されるが、パーソナルコンピュータであってもよい。
【００６０】
処理サーバ３１１のデータ受信部３１２は、端末２０１から画像データが添付された電子メールを受信する。また、データ受信部３１２は、受信した電子メールに含まれている送信元電子メールアドレス及び受信した電子メールに添付されている画像データを抜き出して出力する。埋め込み情報抽出処理部３１３は、受信した電子メールに添付されている画像データからこれに埋め込まれていて絵本の翻訳サービスメニューを表示するホームページのＵＲＬの識別子を抽出する。ＵＲＬ  ＤＢ３１４は、絵本の翻訳サービスメニューを表示するホームページのＵＲＬとこれに対応する識別子の組を複数保持している。ＵＲＬ  ＤＢ検索部３１５は、埋め込み情報抽出処理部３１３により抽出された識別してあって絵本の翻訳サービスメニューを表示するホームページのＵＲＬに対応したものに対応する絵本の翻訳サービスメニューを表示するホームページのＵＲＬをＵＲＬ  ＤＢ３１４から検索する。データ送信部３１６は、検索されたＵＲＬであって絵本の翻訳サービスメニューを表示するホームページのものが本文に記述された電子メールをデータ受信部３１２が抜き出した送信元電子メールアドレスを送信先電子メールアドレスとして送信する。
【００６１】
ｈｔｔｐサーバ３２１は、絵本の翻訳サービスメニューを表示するホームページ及び絵本の各ページの文の各言語による翻訳文を表示するホームページを保持しており、これらを要求した要求元にこれらを要求元に送信する。
【００６２】
自動音声応答サービスサーバ３３１は、電話がかかってきたならば、通話相手に自動音声応答サービスの音声を送信する。
【００６３】
次に、図６を参照して、実施形態３の動作について説明する。
【００６４】
まず、利用者の操作により端末３０１のデータ入力部３０２は、絵本に印刷されていて絵本の翻訳サービスメニューを表示するホームページのＵＲＬの識別子が含まれている画像データを読み込む（ステップＳ３４１）。次に、データ送信部３０３は、読み込まれた画像データが添付された電子メールを処理サーバ３１１に送信する（ステップＳ３４２）。
【００６５】
具体的には、本実施形態によるサービスを提供するためのＷＷＷサーバより端末３０１がダウンロードして起動したアプリケーションは、メーラを起動し、このメーラが送信しようとする電子メールの送信先電子メールアドレスの欄に送信先電子メールアドレスとなるサーバの電子メールアドレスを設定する。そして、利用者は、送信しようとする電子メールに読み込まれた画像データを添付するための操作を行い、電子メールを送信するための操作を行う。
【００６６】
また、本実施形態によるサービスを提供するためのＷＷＷページに送信先電子メールアドレスとなるサーバの電子メールアドレスを記述しておいても良い。この場合、利用者は、サーバの電子メールアドレスを選択することによりメーラを起動し、読み込まれた画像データを添付ファイルとして、電子メールを送信すればよい。
【００６７】
次に、処理サーバ３１１のデータ受信部３１２は、端末３０１から画像データが添付された電子メールを受信し、この電子メールから送信元電子メールアドレス（端末３０１の電子メールアドレス）と画像データを抜き出す（ステップＳ３４３）。次に、埋め込み情報抽出部３１３は、抜き出された画像データからこれに電子透かしとして埋め込まれている識別子であって、絵本の翻訳サービスメニューを表示するホームページのＵＲＬに対応するものを抽出する（ステップＳ３４４）。次に、ＵＲＬ  ＤＢ検索部３１５は、抽出された識別子に対応する絵本の翻訳サービスメニューを表示するホームページのＵＲＬをＵＲＬ  ＤＢ３１４から検索する（ステップＳ３４５）。次に、データ送信部３１６は、検索された絵本の翻訳サービスメニューを表示するホームページのＵＲＬが本文に記述された電子メールを端末３０１の電子メールアドレス宛に送信する（ステップＳ３４６）。
【００６８】
次に、携帯端末３０１のデータ受信部３０４は、処理サーバ３１１から絵本の翻訳サービスメニューを表示するホームページのＵＲＬが本文に記述された電子メールを受信する（ステップＳ３４７）。次に、利用者が受信した電子メールの本文に記述されている絵本の翻訳サービスメニューを表示するホームページのＵＲＬを選択すると、データ送信部３１６は、そのホームページの要求をｈｔｔｐサーバ３２１に送信し、ｈｔｔｐサーバ３２１は絵本の翻訳サービスメニューを表示するホームページを端末３０１に送信し、データ受信部３０４は絵本の翻訳サービスメニューを表示するホームページを受信し、データ閲覧部３０５は絵本の翻訳サービスメニューを表示するホームページを画面に表示する（Ｓ３４８）。絵本の翻訳サービスメニューを表示するホームページの一例を図７に示す。図７に示す画面でアンダーラインが引かれている文字にはハイパーリンクが付されている。
【００６９】
利用者が、例えば、英語の翻訳文の文字情報を選択する場合には英語の欄の「テキスト text」、フランス語の翻訳文の文字情報を選択する場合にはフランス語の欄の「テキスト texte」、ドイツ語の翻訳文の文字情報を選択する場合にはドイツ語の欄の「テキスト text」、スペイン語の翻訳文の文字情報を選択する場合には、スペイン語の欄の「テキスト texto」を選択すると、データ送信部３１６は、選択されたものに応じたホームページ（すなわち、選択したページの選択した言語による翻訳文を表示するホームページ）の要求をｈｔｔｐサーバ３２１に送信する。ｈｔｔｐサーバ３２１は要求されたホームページを端末３０１に送信し、端末３０１のデータ受信部３０４は、ｈｔｔｐサーバ３２１から送信されてきたホームページを受信し、データ閲覧部３０５はそのホームページを表示する。
【００７０】
利用者が、例えば、英語の翻訳文の音声情報を選択する場合には英語の欄の「音声 voice」、フランス語の翻訳文の音声情報を選択する場合にはフランス語の欄の「音声 voix」、ドイツ語の翻訳文の音声情報を選択する場合にはドイツ語の欄の「音声 stimme」、スペイン語の翻訳文の音声情報を選択する場合には、スペイン語の欄の「音声 voz」を選択すると、データ送信部３１６は、選択されたものに応じた自動音声応答サービスの電話番号に電話をかける。すなわち、データ送信部３１６は、選択したページの選択した言語による翻訳文を読み上げる自動音声応答サービスの電話番号に電話をかける。自動音声応答サービスサーバ３３１は、要求された自動音声応答サービスの音声を端末３０１に送信し、端末３０１のデータ受信部３０４は、自動音声応答サービスサーバ３３１から送信されてきた音声を受信し、自動音声応答再生部３０６はその音声を再生する。
【００７１】
なお、ホームページで、言語の文の各国の言語による翻訳文を用意する代わりに、年齢層に応じて改変した表現の文を用意したり、方言で表現した文を用意したり、文を朗読した音声を用意したり、バックグランドミュージックを用意しても良い。
【００７２】
【発明の効果】
以上説明したように、本発明によれば、以下の効果が奏される。
【００７３】
電子透かしの形態でデータの識別子が画像に埋め込まれるので、印刷物の紙面のデザインが損なわれない。また、画像に関連付けられた音声、自動音声応答サービスの音声等により紙面が圧迫されない。
【００７４】
画像データからの電子透かしの抽出をサーバが行うので、端末がそのためのソフトウェアを搭載していなくても良い。従って、端末の記憶部の容量を圧迫せず、端末の過大なＣＰＵ性能を要求しない。また、ソフトウェアのバージョンアップは、サーバにインストールされているソフトウェアのみのバージョンアップで済むので、利用者の手を煩わせない。
【００７５】
利用者からみると、画像データを端末を用いて読み込んでそれをサーバに送信するだけで、画像データに関連付けられた音声データを聴いたり、自動音声応答サービスの音声を聞いたりすることができる。
【００７６】
利用者からみると、絵本を端末を用いて読み込んでそれをサーバに送信するだけで、絵本中の文の翻訳文を読んだり聴いたりすることができる。また、出版社からみると、言語毎に絵本の翻訳版を出版する必要が無く、コストの節約となる。また、出版社から見ると、外国人に日本語の絵本を購入してもらうことができるので、各版当たりの販売部数を伸ばすことができる。
【図面の簡単な説明】
【図１】本発明の実施形態１による端末とサーバを用いた音声再生システムの構成を示すブロック図である。
【図２】本発明の実施形態１による端末とサーバを用いた音声再生システムの動作を示す概念図である。
【図３】本発明の実施形態２による端末とサーバを用いた自動音声応答サービスシステムの構成を示すブロック図である。
【図４】本発明の実施形態２による端末とサーバを用いた自動音声応答サービスシステムの動作を示す概念図である。
【図５】本発明の実施形態３による端末とサーバを用いた絵本翻訳システムの構成を示すブロック図である。
【図６】本発明の実施形態３による端末とサーバを用いた絵本翻訳システムの動作を示す概念図である。
【図７】本発明の実施形態３による端末とサーバを用いた絵本翻訳システムにおける翻訳サービスメニューの例を示す図である。
【符号の説明】
１０１、２０１、３０１  端末
１０２、２０２、３０２  データ入力部
１０３、２０３、３０３  データ送信部
１０４、２０４、３０４  データ受信部
１０５  音声再生部
１１１、２１１、３１１  処理サーバ
１１２、２１２、３１２  データ受信部
１１３、２１３、３１３  埋め込み情報抽出処理部
１１４  音声ＤＢ
１１５  音声ＤＢ検索部
１１６、２１６、３１６  データ送信部
２０５、３０６  自動音声応答再生部
２１４  電話番号ＤＢ
２１５  電話番号ＤＢ検索部
２２１、３３１  自動音声応答サービスサーバ
３０５  データ閲覧部
３１４  ＵＲＬ  ＤＢ
３１５  ＵＲＬ  ＤＢ検索部
３２１  ｈｔｔｐサーバ
【図１】
0003880368.tif 000002
【図２】
0003880368.tif 000003
【図３】
0003880368.tif 000004
【図４】
0003880368.tif 000005
【図５】
0003880368.tif 000006
【図６】
0003880368.tif 000007
【図７】
0003880368.tif 000008